(57)【要約】      （修正有）【課題】コネクタと先端チップとの間で軸同士のずれ量が小さいノズルチップを提供する。【解決手段】筒状の先端チップ２と、先端チップの基端部に固定された筒状のコネクタ３とを備え、コネクタは、径方向に加圧されて先端チップの側周面に当接した加圧部３２０を有するノズルチップ１。加圧部は、コネクタの基端側から先端までコネクタの周方向と交差して延在する少なくとも１つの接合跡３２００を有する、ノズルチップ。加圧部は、収縮性材料で形成された収縮性材料部を有する、ノズルチップ。【選択図】図１
2020112525.tif 000002
【特許請求の範囲】
【請求項１】
筒状の先端チップと、
前記先端チップの基端部に固定された筒状のコネクタと、
を備え、
前記コネクタは、
径方向に加圧されて前記先端チップの側周面に当接した加圧部を有するノズルチップ。
【請求項２】
前記加圧部は、当該コネクタの基端側から先端まで前記コネクタの周方向と交差して延在する少なくとも１つの接合跡を有する、
請求項１に記載のノズルチップ。
【請求項３】
前記加圧部は、収縮性材料で形成された収縮性材料部を有する、
請求項１に記載のノズルチップ。
【請求項４】
前記加圧部は、非収縮性材料により前記コネクタのコネクタ本体部から延出して形成され前記先端チップの側周面に当接する延出部をさらに有し、
前記収縮性材料部は、前記延出部を周方向に覆う収縮チューブである
請求項３に記載のノズルチップ。
【請求項５】
前記コネクタは、前記先端チップの周方向に亘って前記基端部の側周面および基端面の少なくとも一方と接触したシーリング部を有する、
請求項１〜４のいずれか一項に記載のノズルチップ。
【請求項６】
請求項１から５のいずれか一項に記載のノズルチップを備え、
前記ノズルチップを介して流体の吸引および注入の少なくとも一方を行う流体装置。
【請求項７】
筒状の先端チップに固定される筒状のコネクタであって、
径方向に加圧されて前記先端チップの側周面に当接する加圧部を備えるコネクタ。
【請求項８】
ノズルチップの製造方法であって、
径方向に加圧される加圧部を有する筒状のコネクタに、筒状の先端チップの基端部を収容する収容段階と、
前記加圧部を前記径方向に加圧して前記先端チップの側周面に当接させ前記コネクタに前記先端チップを固定する固定段階と、
を備える製造方法。
【請求項９】
前記加圧部は、当該コネクタの基端側から先端まで、前記コネクタの周方向と交差して延在する少なくとも１つのスリットを有し、
前記固定段階は、前記スリットの内側面同士を接合して当該スリットを塞ぐ段階を有する、
請求項８に記載の製造方法。
【請求項１０】
前記加圧部は、収縮性材料で形成された収縮性材料部を有しており、
前記固定段階は、前記収縮性材料の収縮作用により前記加圧部を前記径方向に収縮させる、
請求項８に記載の製造方法。
【請求項１１】
前記収容段階は、前記先端チップの周方向に亘って前記基端部の側周面および基端面の少なくとも一方を前記コネクタに接触させる段階を有する、
請求項８〜１０のいずれか一項に記載の製造方法。
【発明の詳細な説明】
【技術分野】
【０００１】
本発明は、ノズルチップ、流体装置、コネクタおよび製造方法に関する。
【背景技術】
【０００２】
従来、細胞質などの微細な試料を吸引，注入する流体装置には、筒状のコネクタおよび先端チップを有するノズルチップが装着される（例えば特許文献１参照）。ノズルチップは、コネクタに先端チップの基端側を挿入して接着剤で固定することで製造されている（例えば特許文献２参照）。
特許文献１  特許第５３１７９８３号公報
特許文献２  実開昭５３−３４２９７号公報
【発明の概要】
【発明が解決しようとする課題】
【０００３】
しかしながら、従来のノズルチップはコネクタと先端チップとの間で軸同士のずれ量が大きい場合がある。
【課題を解決するための手段】
【０００４】
上記課題を解決するために、本発明の第１の態様においては、ノズルチップが提供される。ノズルチップは、筒状の先端チップを備えてよい。ノズルチップは、先端チップの基端部に固定された筒状のコネクタを備えてよい。コネクタは、径方向に加圧されて先端チップの側周面に当接した加圧部を有してよい。
【０００５】
加圧部は、当該コネクタの基端側から先端までコネクタの周方向と交差して延在する少なくとも１つの接合跡を有してよい。
【０００６】
加圧部は、収縮性材料で形成された収縮性材料部を有してよい。
【０００７】
加圧部は、非収縮性材料によりコネクタのコネクタ本体部から延出して形成され先端チップの側周面に当接する延出部をさらに有してよい。収縮性材料部は、延出部を周方向に覆う収縮チューブであってよい。
【０００８】
コネクタは、先端チップの周方向に亘って基端部の側周面および基端面の少なくとも一方と接触したシーリング部を有してよい。
【０００９】
本発明の第２の態様においては、流体装置が提供される。流体装置は、第１の態様のノズルチップを備えてよい。流体装置は、ノズルチップを介して流体の吸引および注入の少なくとも一方を行ってよい。
【００１０】
本発明の第３の態様においては、コネクタが提供される。コネクタは、筒状の先端チップに固定される筒状のコネクタであってよい。コネクタは、径方向に加圧されて先端チップの側周面に当接する加圧部を備えてよい。
【００１１】
本発明の第４の態様においては、ノズルチップの製造方法が提供される。製造方法は、径方向に加圧される加圧部を有する筒状のコネクタに、筒状の先端チップの基端部を収容する収容段階を備えてよい。製造方法は、加圧部を径方向に加圧して先端チップの側周面に当接させコネクタに先端チップを固定する固定段階を備えてよい。
【００１２】
加圧部は、当該コネクタの基端側から先端まで、コネクタの周方向と交差して延在する少なくとも１つのスリットを有してよい。固定段階は、スリットの内側面同士を接合して当該スリットを塞ぐ段階を有してよい。
【００１３】
加圧部は、収縮性材料で形成された収縮性材料部を有してよい。固定段階は、収縮性材料の収縮作用により加圧部を径方向に収縮させてよい。
【００１４】
収容段階は、先端チップの周方向に亘って基端部の側周面および基端面の少なくとも一方をコネクタに接触させる段階を有してよい。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】本実施形態に係るノズルチップ１を示す。
【図２】本実施形態に係るコネクタ３を示す。
【図３】ノズルチップ１の製造方法を示す。
【図４】加圧対象部３３０の加圧前後の状態を示す。
【図５】細胞吸引システム５を示す。
【図６】変形例に係るノズルチップ１Ａを示す。
【図７】収縮性材料部３２６を収縮させる処理を示す。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
［１．ノズルチップ］
図１は、本実施形態に係るノズルチップ１を示す。なお、図中の左側部分は全体の部分透視図、中央部分はノズルチップ１をＸ方向から見た場合の部分拡大図、右側部分は断面図である。また、図中ではノズルチップ１の先端側を下側とし、基端側を上側としている。
【００１９】
ノズルチップ１は、流体の吸入および排出の少なくとも一方を行うものであり、流体に圧力をかけて移動させるポンプ装置や注射器などの流体機械（流体装置とも称する）に着脱可能に装着される。ノズルチップ１は、先端チップ２と、コネクタ３とを備える。
【００２０】
［１．１．先端チップ２］
先端チップ２は、ノズルチップ１の先端に位置して、流体の吸入および排出の少なくとも一方を行う。先端チップ２は、筒状に形成されており、本実施形態では一例として基端側で外径が一定で、先端側で先細りの円筒状となっている。先端チップ２の先端には図示しない吸入口または排出口が設けられてよい。先端チップ２の先端部の外径は一例として０．１〜１００μｍであってよい。先端チップ２は、ガラス製でもよいし、金属など、他の材料で形成されてもよい。
【００２１】
［１．２．コネクタ３］
コネクタ３は、先端チップ２の基端部に固定された筒状の部材である。コネクタ３は、上述の流体機械に着脱可能に装着されてよい。コネクタ３は、それぞれ筒状に形成されて内部に流体の流路１０を形成したコネクタ本体部３０と、装着部３１と、固定部３２とを有する。
【００２２】
［１．２．１．コネクタ本体部３０］
コネクタ本体部３０は、コネクタ３の軸方向における中途部に位置する。本実施形態では一例として、コネクタ本体部３０は、外径が一定の円筒状に形成されている。
【００２３】
［１．２．２．装着部３１］
装着部３１は、上述の流体機械にコネクタ３を着脱可能に装着するべく当該流体機械に係合する。装着部３１は、コネクタ本体部３０の基端側（図中の上側）に位置してよい。装着部３１は、コネクタ本体部３０よりも外径が大きい環状に形成されてよい。この場合には、装着部３１よりも小径の穴部が多数設けられた収容ラック（図示せず）にノズルチップ１を収容した場合に、装着部３１を把持してノズルチップ１を取り出すことができる。
【００２４】
［１．２．３．固定部３２］
固定部３２は、先端チップ２をコネクタ３に固定する部分であり、コネクタ本体部３０の先端側（図中の下側）に位置する。固定部３２は、加圧部３２０およびシーリング部３２１を有する。
【００２５】
加圧部３２０は、コネクタ本体部３０の先端側（図中の下側）に位置し、径方向に加圧されて先端チップ２の側周面に当接する。これにより先端チップ２がコネクタ３に固定されてよい。加圧部３２０は、コネクタ３の基端側から先端までコネクタ３の周方向と交差して延在する少なくとも１つの接合跡３２００を有してよい。接合跡３２００は一例としてノズルチップ１の軸方向に延在してよい。
【００２６】
ここで、接合とは２つの物体をつなぎ合わせることであってよく、例えば溶着でもよいし、接着でもよいし、カシメでもよい。跡とは物事が行われたことを示すしるし，証拠であってよい。接合跡３２００は、加圧部３２０の一の部分と、他の部分とを接合した跡であってよく、例えば、加圧前の加圧部３２０に設けられたスリット３３００（図２参照）の内側面同士を接合した後であってよい。
【００２７】
シーリング部３２１は、先端チップ２の周方向に亘って先端チップ２の基端部の側周面および基端面の少なくとも一方と接触することで、コネクタ３と先端チップ２との間をシーリングする。シーリング部３２１は弾性を有してよい。例えば、シーリング部３２１は、先端チップ２の基端部に押圧されて弾性変形することで、当該先端チップ２に密着してよい。
【００２８】
シーリング部３２１は、固定部３２の内部において加圧部３２０よりも基端側に設けられてよい。本実施形態では一例として、シーリング部３２１は、周方向に亘って先端チップ２の基端部の側周面と接触する環状の内周面部３２１０と、周方向に亘って先端チップ２の基端部の基端面と接触する環状の底面部３２１１とを有してよい。内周面部３２１０の内径は先端チップ２の外径と等しくてよく、底面部３２１１の内径は先端チップ２の外径よりも小さくてよい。
【００２９】
なお、本実施形態では一例として固定部３２は、基端側から先端側に向かって細くなる円錐台部分３２２と、円錐台部分３２２の先端側に設けられた外径が一定の円筒部分３２３と、円錐台部分３２２および円筒部分３２３の側周面から板状に延出する板状部３２４とを有する。円錐台部分３２２は、コネクタ本体部３０の先端側に接続されており、基端側から先端側に向かって内部の流路１０を細くしている。円筒部分３２３は、少なくとも先端側の部分で内部に先端チップ２の基端部を収容している。板状部３２４は、円錐台部分３２２および円筒部分３２３の中心軸を通るよう形成されている。
【００３０】
このうち、円筒部分３２３および板状部３２４の少なくとも先端側の部分は加圧部３２０となっており、径方向のうちの一方向（図中のＹ方向）に加圧されて接合されている。円筒部分３２３および板状部３２４には、加圧方向の直交方向（図中のＸ方向）から見た側面に接合跡３２００を有してよい。円筒部分３２３の基端側の内部はシーリング部３２１となっている。
【００３１】
以上のノズルチップ１によれば、先端チップ２の基端部に固定されたコネクタ３には径方向に加圧されて先端チップ２の側周面に当接した加圧部３２０が具備される。従って、加圧部３２０が加圧されていない状態で先端チップ２の基端部をコネクタ３内に収容し、加圧部３２０を径方向に加圧することでコネクタ３に先端チップ２が固定される。よって、先端チップ２をコネクタ３に固定する過程において先端チップ２の軸がコネクタ３の軸に対してずれてしまうことがないため、コネクタ３および先端チップ２の間で軸同士のズレ量が小さいノズルチップ１を製造することができる。また、また、先端チップ２に軸方向の圧力を加えてコネクタ３に圧入する場合と異なり、先端チップ２の破損を防止し、高い歩留りでノズルチップ１を製造することができる。
【００３２】
また、加圧部３２０はコネクタ３の基端側から先端まで、コネクタ３の周方向と交差して延在する少なくとも１つの接合跡３２００を有する。従って、加圧部３２０を径方向に加圧しつつ、加圧部３２０に設けられたスリット３３００の内側面同士を接合してスリット３３００を塞ぐことで、接合跡３２００が形成され加圧部３２０が先端チップ２の側周面に当接する。従って、スリット３３００の内側面同士を接合するという簡易な工程で加圧部３２０を先端チップ２の側周面に当接させ、コネクタ３に先端チップ２を固定することができる。
【００３３】
また、周方向に亘って先端チップ２にシーリング部３２１が接触するので、ノズル先端部とコネクタ３との間の気密性を高めることができる。
【００３４】
［２．コネクタ３］
図２は、本実施形態に係るコネクタ３を示す。先端チップ２に固定される前のコネクタ３は、径方向に加圧されて先端チップ２の側周面に当接する加圧部（加圧対象部３３０とも称する）を有する。加圧対象部３３０は、コネクタ３の基端側から先端まで、コネクタ３の周方向と交差して延在する少なくとも１つのスリット３３００を有してよい。本図では一例として、加圧対象部３３０は径方向のうち図中の左右方向に加圧されるようになっており、コネクタ３の先端側ほど左右方向に開いている。また、加圧対象部３３０は、紙面の表裏方向に延在したスリット３３００を有している。
【００３５】
なお、コネクタ３の少なくとも加圧対象部３３０は可撓性を有してよい。例えば、加圧対象部３３０は、スリット３３００内側面同士が当接するまで変形可能であってよい。加圧対象部３３０は、先端チップ２の外径と等しい内径の流路１０が先端部に形成されるまで変形可能であってよい。
以上のコネクタ３は、本実施形態では一例として、全体が樹脂により一体成型されている。
【００３６】
［３．ノズルチップ１の製造方法］
図３は、ノズルチップ１の製造方法を示す。ノズルチップ１は、ステップＳ１１〜Ｓ１３の処理により製造される。各処理は、ノズルチップ１を製造する製造業者の製造装置によって行われてもよいし、製造業者の作業員またはノズルチップ１の使用者によって行われてもよい。
【００３７】
ステップＳ１１において、コネクタ３に先端チップ２の基端部を収容する。例えば、径方向に開いた加圧対象部３３０に先端チップ２の基端部を差し込むことで、当該基端部をコネクタ３に収容する。この処理では、先端チップ２の周方向に亘って基端部の側周面および基端面の少なくとも一方をコネクタ３のシーリング部３２１に接触させてよい。本実施形態では一例として、底面部３２１１が押圧されるまで先端チップ２の基端部をコネクタ３に差し込んでシーリング部３２１を弾性変形させることでシーリング部３２１が先端チップ２に密着し、コネクタ３と先端チップ２との間がシーリングされる。
【００３８】
ステップＳ１３において、加圧対象部３３０を径方向に加圧して先端チップ２の側周面に当接させ、コネクタ３に先端チップ２を固定する。例えば、加圧対象部３３０を径方向に加圧してスリット３３００の内側面同士を当接させ、この状態で内側面同士を接合してスリット３３００を塞ぐ。本実施形態では一例として、加圧対象部３３０は樹脂製となっており、熱や超音波などによって加圧対象部３３０の内側面同士を溶融して融着する。これにより、径方向に加圧された加圧部３２０が形成されて先端チップ２の側周面に当接した状態となり、先端チップ２がコネクタ３に固定される。また、融着の跡によって接合跡３２００が形成される。なお、先端チップ２とコネクタ３との同軸度（中心軸同士のずれ量の大きさ）は例えば０．１ｍｍ以下であってよい。
【００３９】
以上の製造方法によれば、先端チップ２の基端部をコネクタ３内に収容して加圧対象部３３０を径方向に加圧することでコネクタ３に先端チップ２が固定される。よって、先端チップ２をコネクタ３に固定する過程において先端チップ２の軸がコネクタ３の軸に対してずれてしまうことがないため、コネクタ３および先端チップ２の間で軸同士のズレ量が小さいノズルチップ１を製造することができる。また、また、先端チップ２に軸方向の圧力を加えてコネクタ３に圧入する場合と異なり、先端チップ２の破損を防止し、高い歩留りでノズルチップ１を製造することができる。
【００４０】
［３．１．加圧］
図４は、加圧対象部３３０の加圧前後の状態を示す。なお、図中の左側部分は外観図、であり、右側部分は断面図である。また、図中の上側部分は加圧前の状態を示し、下側部分は加圧後の状態を示す。本図では一例として、加圧対象部３３０が径方向のうち図中の左右方向に加圧される前後の状態を示す。
【００４１】
加圧対象部３３０は、板状部３２４に対して圧力が加えられてよい。加圧対象部３３０は、加圧によって径方向に収縮してよい。例えば、図では、加圧対象部３３０の径がＤ１からＤ２へと小さくなってよい。
【００４２】
［４．ノズルチップ１の適用例］
図５は、細胞吸引システム５を示す。細胞吸引システム５は、ノズルチップ１を用いて細胞内物質あるいは１または複数個の細胞の吸引する作業を支援する。
【００４３】
細胞吸引システム５は、試料容器５０、吸引器５１、搬送部５２、制御部５３、顕微鏡５４、共焦点スキャナ５５、およびカメラ５６を備える。
【００４４】
試料容器５０は、試料である細胞５００を細胞培養液５０１とともに収容する。試料容器５０の少なくとも底面は透光性であってよい。
【００４５】
吸引器５１は、細胞内成分などを吸引する。吸引器５１の先端にはノズルチップ１が着脱可能に装着されてよい。吸引器５１は、ノズルチップ１の内圧を調整する圧力調整部５１０を有してよい。
【００４６】
搬送部５２は、吸引器５１を移動させる。例えば、搬送部５２は、吸引器５１をノズルチップ１とともに水平方向および鉛直方向に移動させてよい。
【００４７】
制御部５３は、細胞吸引システム５の各部の制御および信号処理を行なう。
【００４８】
顕微鏡５４は、試料容器５０内の拡大画像を取得する。顕微鏡５４は資料容器の底面を介して試料容器５０内の拡大画像を取得してよい。顕微鏡５４は、対物レンズ５４１、結像レンズ５４２および照明５４３などを有してよい。このうち照明５４３は、試料やノズルチップ１を照射してよい。一例として、照明５４３は、ノズルチップ１の先端を認識しやすいように、ノズルチップ１を囲むリング形状となっていてよい。
【００４９】
共焦点スキャナ５５は、ピンホールディスクアレイ５５１、マイクロレンズアレイディスク５５２、ダイクロイックミラー５５３、バンドバスフィルタ５５４、リレーレンズ５５５を備えており、顕微鏡５４と組み合わせることで、試料の共焦点画像を取得する。
【００５０】
カメラ５６は、共焦点スキャナ５５を介して取得される共焦点画像を撮像する。カメラ５６は、撮像画像を制御部５３に供給してよい。
【００５１】
以上の細胞吸引システム５は、オペレータが吸引対象の細胞５００を確認しながら搬送部５２によってノズルチップ１を移動させてノズルチップ１の先端を目的の細胞に挿入し、吸引器５１によって細胞内物質を吸引する。ノズルチップ１が移動される場合には、ノズルチップ１が試料容器５０内の細胞培養液５０１を含む周辺成分を吸引しないようにノズルチップ１内は加圧されてよい。
【００５２】
［４．変形例］
図６は、変形例に係るノズルチップ１Ａを示す。なお、図中の左側部分はノズルチップ１の全体の外観図、右側部分はノズルチップ１の部分断面図である。
【００５３】
本変形例に係るノズルチップ１Ａはコネクタ３Ａを備え、コネクタ３Ａの固定部３２Ａは加圧部３２０Ａを有する。加圧部３２０Ａは、複数の延出部３２５と、収縮性材料部３２６とを有する。
【００５４】
各延出部３２５は、非収縮性材料によりコネクタ３のコネクタ本体部３０から延出して形成されて先端チップ２の側周面に当接する。各延出部３２５は、コネクタ３の周方向と交差してコネクタ本体部３０からノズルチップ１の先端側に延出してよい。本変形例では一例として、各延出部３２５はノズルチップ１Ａの軸方向に延在してよい。なお、コネクタ本体部３０および装着部３１は延出部３２５と同じ非収縮性材料により形成されてよく、この場合にはコネクタ本体部３０、装着部３１および延出部３２５が一体的に形成されてよい。
【００５５】
収縮性材料部３２６は、収縮性材料で形成されている。収縮性材料は、収縮性を有する材料であり、例えば樹脂材料である。収縮性材料は、熱や光などの外的要因によって収縮してもよいし、自己収縮してもよい。本変形例では一例として、収縮性材料は熱収縮性であり、具体的にはポリ塩化ビニル、ポリオレフィン、ポリスチレン等であるが他の材料であってもよい。
【００５６】
収縮性材料部３２６は、少なくとも周方向に収縮することで径方向に加圧された状態となってよい。例えば、収縮性材料部３２６は、収縮チューブであってよい。収縮性材料部３２６は、延出部３２５を周方向に覆ってよい。
【００５７】
［４．１．ノズルチップ１Ａの製造方法］
以上のノズルチップ１Ａを製造する場合には、上述のステップＳ１３の処理において、収縮性材料部３２６を形成する収縮性材料の収縮作用により、加圧部３２０を径方向に収縮させる。
【００５８】
図７は、収縮性材料部３２６を収縮させる処理を示す。図中の左側部分は全体の外観図、右側部分は部分断面図である。
【００５９】
収縮性材料部３２６を収縮させる場合には、コネクタ３Ａに先端チップ２の基端部を収容した後、コネクタ本体部３０の先端側を収縮前の収縮性材料部３２６で周方向に覆ってよい。本変形例では一例として、コネクタ３Ａに先端チップ２の基端部を収容した後、収縮性材料部３２６である収縮チューブの内側に先端チップ２を先端側から通して、各延出部３２５を収縮性材料部３２６で覆ってよい。そして、収縮性材料部３２６を加熱によって収縮させてよい。
【００６０】
なお、収縮性材料部３２６の収縮前には、各延出部３２５は先端側ほど径方向に広がってよい。この場合には、コネクタ３Ａに先端チップ２の基端部を差し込みやすくなる。
【００６１】
また、周方向に隣接する延出部３２５同士の間にはスリットが形成されてよい。この場合には収縮性材料部３２６が収縮しても延出部３２５同士は互いに重なり合わないため、延出部３２５の重なり具合によって先端チップ２とコネクタ３との同軸度や固定強度が影響を受けてしまうのが防止される。
【００６２】
以上のノズルチップ１Ａによれば、加圧部３２０は収縮性材料で形成されているので、収縮材料を収縮させるという簡易な工程で加圧部３２０を先端チップ２の側周面に当接させ、コネクタ３に先端チップ２を固定することができる。
【００６３】
また、非収縮性材料によりコネクタ本体部３０から延出して先端チップ２の周面に当接する複数の延出部３２５が収縮チューブによって周方向に覆われるので、各延出部３２５を介して先端チップ２がコネクタ本体部３０に確実に固定される。
【００６４】
なお、上記の変形例においては、加圧部３２０Ａが複数の延出部３２５を有することとして説明したが、１つの延出部３２５のみを有することとしてもよい。この場合には、延出部３２５は先端チップ２の側周面に対し周方向に亘って当接してもよいし、側周面における周方向の一部の領域のみに当接してもよい。
【００６５】
また、延出部３２５、コネクタ本体部３０および装着部３１が非収縮性材料で形成され、収縮性材料部３２６が収縮性材料で形成されることとして説明したが、コネクタ３の全体が収縮性材料で形成されてもよい。この場合には、収縮前のコネクタ３に先端チップ２の基端側を収容した後、コネクタ３の全体を収縮させてノズルチップ１を製造してよい。
【００６６】
［５．その他の変形例］
なお、上記の実施形態および変形例においては、ノズルチップ１が細胞吸引システム５の吸引器５１に装着されることとして説明したが、他の装置の吸引部に装着されてもよいし、試料や薬剤を注入する注入部に装着されてもよい。
【００６７】
また、コネクタ３が全体として樹脂により一体成型されることとして説明したが、１または複数の材料を用いて複合的に形成されてもよい。例えば、コネクタ３におけるシーリング部３２１は樹脂で形成され、他の部分がシーリング部３２１とは異なる１または複数の材料（一例として金属）で形成されてもよい。
【００６８】
また、シーリング部３２１は先端チップ２の基端部に押圧されて弾性変形することでコネクタ３と先端チップ２との間をシーリングすることとして説明したが、先端チップ２の基端部をコネクタ３内に差し込む段階で溶融されて先端チップ２に溶着することでシーリングしてもよい。また、シーリング部３２１は接着剤によって形成されてもよく、この場合は先端チップ２の基端部をコネクタ３内に差し込む段階でコネクタ３の内側の少なくとも一部に接着剤を塗布して先端チップ２に接着させることでコネクタ３と先端チップ２との間がシーリングされてもよい。
【００６９】
また、シーリング部３２１が固定部３２の内側に形成されることとして説明したが、先端チップ２とコネクタ３との気密性が保たれる限りにおいて、コネクタ３におけるコネクタ本体部３０や装着部３１の内側に形成されてもよいし、ノズルチップ１がシーリング部３２１を有しなくてもよい。
【００７０】
また、加圧対象部３３０を樹脂製とし、接合跡３２００を融着の跡として説明したが、加圧対象部３３０は金属製であってもよく、接合跡３２００はカシメによる接合の跡であってもよい。
【００７１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７３】
１，１Ａ  ノズルチップ、
２  先端チップ、
３，３Ａ  コネクタ、
５  細胞吸引システム、
１０  流路、
３０  コネクタ本体部、
３１  装着部、
３２，３２Ａ  固定部、
５０  試料容器、
５１  吸引器、
５２  搬送部、
５３  制御部、
５４  顕微鏡、
５５  共焦点スキャナ、
５６  カメラ、
３２０，３２０Ａ  加圧部、
３２１  シーリング部、
３２２  円錐台部分、
３２３  円筒部分、
３２４  板状部、
３２５  延出部、
３２６  収縮性材料部、
３３０  加圧対象部、
５００  細胞、
５０１  細胞培養液、
５４１  対物レンズ、
５４２  結像レンズ、
５４３  照明、
５５５  リレーレンズ、
３２００  接合跡、
３２１０  内周面部、
３２１１  底面部、
３３００  スリット
【図１】
2020112525.tif 000003
【図２】
2020112525.tif 000004
【図３】
2020112525.tif 000005
【図４】
2020112525.tif 000006
【図５】
2020112525.tif 000007
【図６】
2020112525.tif 000008
【図７】
2020112525.tif 000009